(57)【要約】【課題】つま先が引っかかることがないため安全で、踏んだときの感触に違和感を感じることがない踏板２であって、踏板２の段差や滑り防止機構としてのＶ溝２ａの位置について、視力の衰えた人であっても容易に識別可能な踏板２を提供することにある。特に、夜間薄暗い階段や消灯後や停電や器具の故障などにより照明がなくなった場合などに、階段１の存在、踏板２の段差及び滑り防止機構としてのＶ溝２ａの位置を識別可能な階段１として、利用する人にとって安全性の高い階段１を提供することにある。【解決手段】踏板２の踏前面２ｃ近くにＶ溝２ａを設け、Ｖ溝の開き角２ｈが概略６０度であって、深さ２ｇが概略２．５ｍｍのＶ溝２ａとし、Ｖ溝２ａに蓄光塗料４を塗布する。さらにそのような踏板２を有する階段１とする。【選択図】図２
0003121982.tif 000002
【実用新案登録請求の範囲】
【請求項１】
木製の階段用の踏板であって、断面Ｖ字形状の溝（以下単に「Ｖ溝」という。）を有することを特徴とする踏板。
【請求項２】
請求項１に記載した踏板であって、Ｖ溝の開き角が概略６０度であることを特徴とする踏板。
【請求項３】
請求項１又は請求項２に記載した踏板であって、Ｖ溝の深さが概略２．５ｍｍであることを特徴とする踏板。
【請求項４】
請求項１〜請求項３のいずれかに記載した踏板であって、Ｖ溝に蓄光塗料を塗布したことを特徴とする踏板。
【請求項５】
請求項１〜請求項４のいずれかに記載した踏板を有することを特徴とする木製の階段。
【考案の詳細な説明】
【技術分野】
【０００１】
本考案は、滑り防止機構として断面Ｖ字形状の溝（以下単に「Ｖ溝」という。）を設けた踏板及び同踏板を有する階段に係り、特に蓄光塗料を均一に塗布することが容易であって、踏板の段差やＶ溝の位置を容易に識別可能とした踏板、及びそのような踏板を有する安全性が高い階段を提供することに関するものである。
【背景技術】
【０００２】
従来の木製の階段には、踏板の一部に円弧断面の溝（以下単に「円弧溝」という。）や断面Ｕ字形状の溝（以下単に「Ｕ溝」という。）を施して滑り止め機能を与えた実施例があった。しかし単に踏板に溝を施しただけでは、踏板の段差を識別することが困難であり踏板を踏み外しやすい問題があった。特に、視力が衰えた人にとっては重大な問題となっていた。
また、踏板の上面に紐状の弾性体を取り付けた発明や、特殊なノンスリップ材を取り付けた滑り止め機構の発明もあった（例えば、特許文献２、３参照）。しかしこれらの発明のように踏板に突出物を取り付けると、長年の使用により摩耗して滑り防止機能を喪失する問題や、突出物につま先等が突っかかり転倒しやすくなる問題や、踏板を踏んだときの感触に違和感を感じる問題があった。
また、踏板に溝を設けて滑り止め部材を挿入する滑り止め機構の考案や発明もあった（例えば、特許文献１、４、５参照）。しかし、いずれの考案や発明も弾性体からなる滑り止め部材を人が踏むため、踏板を踏んだときの感触に違和感を感じる問題があった。
また、特許文献４の発明は凹溝と滑り止め部材との接触面積が小さく、通常の使用状態において滑り止め部材が外れることはなく、かつ、前記滑り止め部材を取り外すときは人の力で容易に取り外すことのできる程度の保持力で、滑り止め部材を溝に取り付けることが困難となる問題を有していた。
一方、特許文献１、５の発明では溝の形状が複雑なため加工が困難であったり、形状が複雑で高価な滑り止め部材を必要とする問題を有していた。
また、上記従来技術のうち、特許文献３の発明を除く発明では、夜間に薄暗い階段や消灯後や停電や器具の故障により照明がなくなった場合などに、階段の段差等の識別が困難となり、階段を利用する人の安全性を保つことができない問題を有していた。
一方、特許文献３の発明は発光面体を取り付けてはあるが、人が直接ノンスリップ材を踏む構成であって発光面体を保護する必要が生じるため、複雑な構造となっており製作が困難で高価なものとなる問題を有していた。
また、踏上溝の中に発光塗料等を塗布した止部材を取り付けることにより、踏上溝の識別性を高めた階段の考案があった（例えば、特許文献６参照）。しかし、止部材という部品が必要であるため、止部材の材料と加工費を無駄に消費する問題があった。
【０００３】
以上のような問題を解決するため、図４に示したようにスポイト５を使用して溝に直接蓄光塗料を塗布する試験を行ったところ、スポイトの先端５ａの先に一定の空間がないと蓄光塗料が適度に落下しないことがわかった。
このため、図４の（ｂ）に示したＵ溝８や（ｃ）に示した円弧溝９では、スポイトの先端５ａを溝の面から浮かして蓄光塗料を塗布しなければならなかった。スポイト５を空間において支持することは困難なため、スポイトの先端５ａが溝の面に近づきすぎて塗膜が薄くなったり、スポイトの先端が溝の面から離れすぎて塗料が溝からあふれて上面に付着する問題が生じた。
一方、図４の（ａ）に示したＶ溝７の場合は、スポイトの先端５ａを斜面７ａに接触させるとスポイトの先端５ａの先に適当な空間ができる。このため、スポイトの先端５ａを斜面７ａに押し当てた状態で長手方向に移動させことにより、Ｖ溝７の中に蓄光塗料を均一に塗装することが可能であった。
また、Ｖ溝７の開き角度を６０度とし、Ｖ溝７の深さを２．５ｍｍとした場合に良い結果が得られた。そして、Ｖ溝７の場合は中央で厚く両端部で薄い塗膜が得られた。このような塗膜においては、中央部の厚い蓄光塗料の塗幕の部分に多量の光が蓄光するため、光が長持ちするという効果も得られた。
【特許文献１】実開平５−６６１３３号公報
【特許文献２】特開平７−２１７１３８号公報
【特許文献３】特開平８−３０２９４５号公報
【特許文献４】特開平１０−２０５０９１号公報
【特許文献５】特開平１１−１３２４０号公報
【特許文献６】登録実用新案第３１０１８７６号公報
【考案の開示】
【考案が解決しようとする課題】
【０００４】
本考案は、上記した従来技術の欠点を除くためなされたものであって、その目的とするところは、段差や滑り防止機構の位置を容易に識別可能な踏板を提供すること、さらには視力の衰えた人であっても容易に識別可能な踏板を提供することにある。
また、長年の使用により摩耗することのない滑り防止機構であって、つま先が引っかかることがなく安全で、踏板を踏んだときの感触に違和感を感じることがなく肌触りの良好な滑り防止機構を提供することにある。
特に、夜間に薄暗い階段や消灯後や停電や器具の故障などにより照明がなくなった場合などに、階段の存在、踏板の段差及び滑り防止機構の位置を識別可能な階段として、利用する人の安全性を保つことができる階段を提供することにある。
また、踏上溝に止部材を取り付ける考案の有する、止部材の材料と加工費を無駄に消費する問題をなくし、止部材を必要としない滑り防止機構を提供することにある。
さらに、溝を設けてこれに蓄光塗料を塗布する場合に、塗幕が薄くなったり溝からあふれることなく、容易に均一な蓄光塗料の塗装を可能とした踏板及びそのような踏板を有する階段を提供することにある。
【課題を解決するための手段】
【０００５】
踏板の踏前面近くにＶ溝を設ける。このとき、Ｖ溝の開き角が概略６０度であって、深さが概略２．５ｍｍのＶ溝とし、Ｖ溝に蓄光塗料を塗布することが好ましい。さらにそのような踏板を有する階段とする。
【考案の効果】
【０００６】
本考案により、踏板の段差や滑り防止機構の位置を容易に識別することができる滑り防止機構を提供することができた。特に、視力の乏しい人にとっても容易に識別可能なものとすることができた。
また本考案により、長年の使用により摩耗しない滑り防止機構であって、つま先が引っかかることがなく、踏板を踏んだときの感触に違和感を感じることもなく、長寿命で安全かつ肌触りの良好な滑り止め機構を提供することができた。
また本考案により、暗くても階段の存在、踏板の段差及び滑り防止機構の位置を識別可能な階段としたので、夜間に薄暗い階段や消灯後や停電や器具の故障により照明がなくなった場合などに、利用する人の安全性を保つことができる階段とすることができた。
また、踏上溝に止部材を取り付ける考案の有する、止部材の材料と加工費を無駄に消費する問題をなくし、止部材を必要としない滑り防止機構を提供することができた。
また、Ｖ溝を設けてこれに蓄光塗料を塗布する場合に、塗幕が薄くなったり溝からあふれることなく、容易に均一な蓄光塗料の塗装を可能とした踏板及びそのような踏板を有する階段を提供することができた。
【考案を実施するための最良の形態】
【０００７】
請求項１の考案は、木製の階段用の踏板であって、踏前面近くにＶ溝を有する踏板とする。
滑り防止機構として踏上面の踏前面近くにＶ溝を設けたものである。Ｖ溝とすることにより、スポイトの先端をＶ溝の斜面に接触させて長手方向に移動させことにより、Ｖ溝の中に蓄光塗料を均一に塗装することが可能になるからである。
請求項２の考案は、請求項１に記載した踏板であって、Ｖ溝の開き角が概略６０度である踏板とする。
階段を利用する人は次に足を乗せる踏板を見ながら足を出す、既に足を乗せている踏上面は真下にあるが次に足を乗せる踏上面は斜め前にある。溝の開き角が概略６０度であると斜め前からＶ溝の斜面がよく見える。このため、視力の衰えた人であっても容易に識別可能な滑り防止機構を提供することができるからである。
請求項３の考案は、請求項１又は請求項２に記載した踏板であって、Ｖ溝の深さが概略２．５ｍｍである踏板とする。
滑り防止機構としての溝は、視力の衰えた人が容易に踏板の段差を識別することが可能であれば十分である。また、あまり深い溝とすると人が違和感を感じるようになり、さらには溝につま先をＶ溝に引っかけたりしてかえって危険になるので、概略２．５ｍｍの深さが適当だからである。
【０００８】
請求項４の考案は、請求項１〜請求項３のいずれかに記載した踏板であって、Ｖ溝に蓄光塗料を塗布した踏板とする。
蓄光塗料を塗布することにより、夜間に薄暗くなる場合や照明を消したり停電や器具の故障により照明がなくなった場合などにおいて、階段の段差等の識別が容易であり、階段を利用する人の安全性を保つことができるからである。
また、スポイトを使用してＶ溝に蓄光塗料を塗布する場合に、スポイトの先端をＶ溝の斜面に接触させ、スポイトの先端の先に適当な空間を設けた状態で、スポイトの先端を斜面によりガイドしつつ長手方向に移動させことにより、Ｖ溝の中に蓄光塗料を均一に塗装することが可能になるからである。
また、Ｖ溝とすることにより中央で厚く両端部で薄い蓄光塗料の塗膜が得られるが、中央部の厚い蓄光塗料の塗幕の部分に多量の光が蓄光するため、消灯後の光が長持ちする効果も得られるからである。
請求項５の考案は、請求項１〜請求項４のいずれかに記載した踏板を有する木製の階段とする。
踏板の段差やＶ溝の位置を容易に識別可能とした踏板であって、視力の衰えた人であっても容易に識別可能な滑り防止機構を有する踏板を使用することにより、安全性が高い階段を提供するものである。
特に、夜間に薄暗い階段や、消灯後や停電や器具の故障などにより照明がなくなった場合などに、階段の存在、踏板の段差及び滑り防止機構の位置を識別可能な階段として、利用する人の安全性を保つことができる階段を提供するものである。
【実施例１】
【０００９】
以下本考案の実施例１を図１〜図４に示し説明する。実施例１の階段１は木製の部材からなり、左右の側板３にそれぞれ側板溝３ａを設けておき、側板溝３ａに踏板２の左右の踏端部２ｆを差し込んで取り付ける構成とした。
踏板２を側板３に取り付ける前に、予め踏板２の踏上面２ｅの踏前面２ｃ近くに、Ｖ溝２ａを踏板２の全長にわたって設ける。このとき、Ｖ溝の開き角２ｈを６０度とし、Ｖ溝の深さ２ｇを２．５ｍｍとする。
さらに、図４に示したようにして予めＶ溝２ａに蓄光塗料４を塗装しておく。図４ではＶ溝の符号を７と表示してあるが、Ｕ溝８や円弧溝９と比較するために一般的な断面形状として、Ｖ溝の符号を７と表示したものである。そして、踏板２を構成する部分としてのＶ溝の符号は２ａと表示するものである。
Ｖ溝７に蓄光塗料を塗装するときは、スポイト５に蓄光塗料をいれて、スポイトの先端５ａをＶ溝７の斜面７ａに当てると、スポイトの先端５ａの下に適当な空間ができる。この状態で、Ｖ溝２ａの一方の端から他方の端までスポイトを一定の速度で移動させると、Ｖ溝７の中に蓄光塗料の塗膜ができる。
また、踏板２の下面には踏下溝２ｂを設け、踏下溝２ｂにケ込ミ板６の上部を差し込み、ケ込ミ板６の下部を踏板２の踏後面２ｄに合わせくぎを打ち込んで取り付けた。
【００１０】
本実施例は以上のように構成されており、以下その作用について説明する。Ｖ溝２ａは単純な断面形状を有していて、踏板２の全長にわたって加工するので、従来の踏板の一部に溝を施す場合と比べ加工が容易である。
また、Ｖ溝の開き角２ｈを６０度としたので、斜め上方からＶ溝の斜面がよく見え、視力の衰えた人であっても容易に識別可能な滑り防止機構を提供することができた。
また、本実施例ではＶ溝の深さ２ｇを２．５ｍｍとしたため、つま先が引っかかることがなく、踏板２を踏んだときの感触に違和感を感じることもない滑り防止機構とすることができた。さらに、Ｖ溝２ａを踏板２の全長にわたり設けたので、踏板の一部に設けた場合と比べて安全性が高い。
また、中央で厚く両端部で薄い蓄光塗料４の塗膜が得られ、中央部の厚い蓄光塗料４の塗幕の部分に多量の光が蓄光するため、光が長持ちするという効果が得られた。
また、夜間に薄暗い階段や、消灯後や停電や器具の故障などにより照明がなくなった場合に、蓄光塗料４が発光して、階段１の存在、踏板２の段差及びＶ溝２ａの位置を明示して、階段１を利用する人の安全性を保つことができた。
【産業上の利用可能性】
【００１１】
本考案は、木材を加工する産業や建築材料を製造販売する産業、大工や建築会社などの建設産業などにおいて利用される。
【図面の簡単な説明】
【００１２】
【図１】階段の部分斜視図である。
【図２】図１のＪ−Ｊ断面図である。
【図３】図１のＫ−Ｋ断面図である。
【図４】溝の形状とスポイトによる塗装の状態を示す断面図である。
【符号の説明】
【００１３】
１  ：階段                  ２  ：踏板                  ２ａ：V溝
２ｂ：踏下溝                ２ｃ：踏前面                ２ｄ：踏後面
２ｅ：踏上面                ２ｆ：踏端部                ２ｇ：深さ
２ｈ：開き角                ３  ：側板                  ３ａ：側板溝
４  ：蓄光塗料              ５  ：スポイト              ５ａ：先端
６  ：ケ込ミ板              ７  ：Ｖ溝                  ７ａ：斜面
８  ：Ｕ溝                  ９  ：円弧溝
【図１】
0003121982.tif 000003
【図２】
0003121982.tif 000004
【図３】
0003121982.tif 000005
【図４】
0003121982.tif 000006